(57)【要約】      （修正有）【課題】液晶ディスプレイセルの極性反転に必要とされる消費電力を低減する。【解決手段】ドット反転駆動では、各ゲート線２６は、１つの行の１つおきのスイッチ２４に接続され、隣の行の１つおきの（ただし、１つ目の行とは互い違いの）スイッチ２４に接続される。１本のゲート線２６がアクティブにされると、１つの行の１つおきのセル２２を、対応する信号線によって駆動することができ、それと同時に、隣の行の互い違いの１つおきのセル２２を、対応する信号線によって駆動することができる。これを行うために、液晶セル２２の隣接する２つの行に対応する隣接するＣＯＭストリップ３０はいずれも、駆動ＣＯＭ信号３２によって適切な電位で駆動され、他のＣＯＭストリップ３０にはスタンバイＣＯＭ信号３４、例えば２つのアクティブＣＯＭ電圧の中間の電位が供給される。【選択図】図１１
2009251608.tif 000002
【特許請求の範囲】
【請求項１】
複数のスイッチと、共通接続部と、前記複数のスイッチと前記共通接続部との間にそれぞれ接続される複数の液晶セルと、前記複数のスイッチをそれぞれ動作させる複数のゲート線とを有する液晶ディスプレイを具備する液晶ディスプレイモジュールであって、
前記共通接続部は、第１の方向に延び、第２の方向に並んで配置された複数のストリップを有し、
前記複数の液晶セルは、前記複数のストリップに沿って配置され、当該複数のストリップにそれぞれ接続された複数の行として構成され、
前記各ゲート線は、前記複数のスイッチのうち、隣接する２つの行の前記各液晶セルに接続されたスイッチを動作させるように構成され、
前記各行について、その行の１つおきの液晶セルからなる第１のセットの各液晶セルが、前記複数のゲート線のうち各第１のゲート線によって動作される各スイッチに接続され、前記１つおきの液晶セルとは互い違いの１つおきの液晶セルからなる第２のセットの各液晶セルが、前記複数のゲート線のうち前記各第１のゲート線とは異なる各第２のゲート線によって動作される各スイッチに接続され、
当該液晶ディスプレイモジュールは、前記各ゲート線を制御して、前記隣接する２つの行の各液晶セルに接続された前記各スイッチを動作させると同時に、前記隣接する２つの行のうちの少なくとも１つの行に対応する少なくとも１つのストリップを、２つの所定の電位のうちの１つの電位で駆動する、前記液晶ディスプレイを駆動するための駆動回路をさらに具備する
液晶ディスプレイモジュール。
【請求項２】
請求項１に記載の液晶ディスプレイモジュールであって、
前記液晶セルの各行は、前記各ストリップに沿って配置され、当該各ストリップに接続される
液晶ディスプレイモジュール。
【請求項３】
請求項２に記載の液晶ディスプレイモジュールであって、
前記駆動回路は、前記液晶セルの２つの隣接する行に対応する２つのストリップを、前記２つの所定の電位のうちの１つの電位で同時に駆動するように構成される
液晶ディスプレイモジュール。
【請求項４】
請求項３に記載の液晶ディスプレイモジュールであって、
前記駆動回路は、一度に前記２つのストリップのみを、前記２つの所定の電位のうちの１つの電位で同時に駆動するように構成される
液晶ディスプレイモジュール。
【請求項５】
請求項１に記載の液晶ディスプレイモジュールであって、
前記液晶セルの行は、隣接する行同士がペアとなるように構成され、当該ペアは、各ペアにつき１つのストリップに沿って配置され、当該ストリップに接続される
液晶ディスプレイモジュール。
【請求項６】
請求項５に記載の液晶ディスプレイモジュールであって、
前記駆動回路は、一度に前記１つのストリップのみを、前記２つの所定の電位のうちの１つの電位で駆動するように構成される
液晶ディスプレイモジュール。
【請求項７】
請求項１〜６のいずれか１項に記載の液晶ディスプレイモジュールであって、
前記複数のストリップのうちの他のストリップは、前記２つの所定の電位のうちの１つの電位で駆動されない
液晶ディスプレイモジュール。
【請求項８】
請求項７に記載の液晶ディスプレイモジュールであって、
前記他のストリップは、前記２つの所定の電位とは異なる電位で駆動される
液晶ディスプレイモジュール。
【請求項９】
請求項８に記載の液晶ディスプレイモジュールであって、
前記他のストリップは、前記２つの所定の電位の中間の電位で駆動される
液晶ディスプレイモジュール。
【請求項１０】
請求項１〜９のいずれか１項に記載の液晶ディスプレイモジュールを具備する携帯電話機。
【請求項１１】
請求項１〜９のいずれか１項に記載の液晶ディスプレイモジュールを具備するカメラ。
【請求項１２】
複数の液晶セルと共通接続部と、前記複数のスイッチと前記共通接続部との間にそれぞれ接続される複数の液晶セルとを有する液晶ディスプレイの駆動方法であって、
前記共通接続部を、第１の方向に延び、第２の方向に並んで配置された複数のストリップとして設け、
前記複数の液晶セルを、前記複数のストリップに沿って配置され、当該複数のストリップにそれぞれ接続された複数の行として構成し、
前記複数のスイッチをそれぞれ動作させる複数のゲート線を設け、
前記各ゲート線を、前記複数のスイッチのうち、隣接する２つの行の前記各液晶セルに接続されたスイッチを動作させるように構成し、
前記各行について、その行の１つおきの液晶セルからなる第１のセットの各液晶セルを、前記複数のゲート線のうち各第１のゲート線によって動作される各スイッチに接続し、前記１つおきの液晶セルとは互い違いの１つおきの液晶セルからなる第２のセットの各液晶セルを、前記複数のゲート線のうち前記各第１のゲート線とは異なる各第２のゲート線によって動作される各スイッチに接続し、
前記各ゲート線を制御して、前記隣接する２つの行の各液晶セルに接続された前記各スイッチを動作させると同時に、前記隣接する２つの行のうちの少なくとも１つの行に対応する少なくとも１つのストリップを、２つの所定の電位のうちの１つの電位で駆動することにより、前記液晶ディスプレイを駆動する
液晶ディスプレイ駆動方法。
【発明の詳細な説明】
【技術分野】
【０００１】
本発明は、液晶ディスプレイモジュール、及び全体的な消費電力が低減するように当該モジュールの液晶ディスプレイを駆動する方法に関する。
【背景技術】
【０００２】
液晶セルが、一方向において複数の信号線を共有し、垂直方向においてゲート線により選択的にイネーブルされる、液晶セルの２次元アレイを用いる液晶ディスプレイが知られている。液晶ディスプレイには、ゲート線を用いて液晶セルの各セットをイネーブルする駆動回路が設けられる。そして、このイネーブルされたセルに信号線により映像信号レベルが供給され、このセルが所望の輝度となるのに必要なレベルにまで充電される。
【０００３】
通常、液晶セルがグループにまとめられることで、画像画素が形成される。典型的には、各画像画素は、赤、緑、青にそれぞれ対応する３つの液晶セルを有する。画素の赤、緑及び青の液晶セルは、同じゲート線上に供給され、同じ映像信号によって駆動することができる。具体的には、画素のすべての液晶セルをイネーブルするゲート線を用いて、まず赤の液晶セルに映像信号が信号線によって供給され、次に緑の液晶セルに映像信号が信号線によって供給され、最後に青の液晶セルに映像信号が信号線によって供給される。
【先行技術文献】
【特許文献】
【０００４】
【特許文献１】米国特許公開第２００８／００６８５１６号明細書
【特許文献２】米国特許公開第２００８／０１４５９８３号明細書
【特許文献３】欧州特許第１４６３２０８号明細書
【特許文献４】米国特許公開第２００２／００４４１１３号明細書
【発明の概要】
【発明が解決しようとする課題】
【０００５】
通常、液晶セルはすべて、（ゲート線によって動作するスイッチに接続された側とは反対側において）共通線に接続されている。通常、共通線は、液晶ディスプレイの領域全体にわたるプレート（ＣＯＭプレート）の形をとる。この共通線の電位は、サブピクセル又は画素の必要な極性反転が起こるように、矩形波として段階的に変更される。種々の形式の極性反転方法が周知である。すなわち、各フレームのすべての液晶セルがフレーム内で同じ電位を有するが、電位がフレーム毎に変更される１Ｆフレーム反転、水平方向ラインのすべての液晶セルが同じ電位を有するが、ライン毎及びフレーム毎に反転される１Ｈ反転、隣接した液晶セルが逆の電位を有し、またフレーム毎に反転されるドット反転である。
【０００６】
このような反転方法に関らず、ＣＯＭプレートの静電容量が大きいことにより、ＣＯＭプレートの電位を反転させることで比較的大量の電力が消費される。また、すべての液晶セルを同じＣＯＭプレートに接続することにより、表示される画像にノイズが生じるおそれがある。
【課題を解決するための手段】
【０００７】
本発明の実施形態によれば、複数の液晶セルと共通接続部と、前記複数のスイッチと前記共通接続部との間にそれぞれ接続される複数の液晶セルとを有する液晶ディスプレイの駆動方法が提供される。当該方法は、前記共通接続部を、第１の方向に延び、第２の方向に並んで配置された複数のストリップとして設け、前記複数の液晶セルを、前記複数のストリップに沿って配置され、当該複数のストリップにそれぞれ接続された複数の行として構成し、前記複数のスイッチをそれぞれ動作させる複数のゲート線を設け、前記各ゲート線を、前記複数のスイッチのうち、隣接する２つの行の前記各液晶セルに接続されたスイッチを動作させるように構成し、前記各行について、その行の１つおきの液晶セルからなる第１のセットの各液晶セルを、前記複数のゲート線のうち各第１のゲート線によって動作される各スイッチに接続し、前記１つおきの液晶セルとは互い違いの１つおきの液晶セルからなる第２のセットの各液晶セルを、前記複数のゲート線のうち各第２のゲート線によって動作される各スイッチに接続し、前記各ゲート線を制御して、前記隣接する２つの行の各液晶セルに接続された前記各スイッチを動作させると同時に、前記隣接する２つの行のうちの少なくとも１つの行に対応する少なくとも１つのストリップを、２つの所定の電位のうちの少なくとも１つの電位に駆動することにより、前記液晶ディスプレイを駆動する。
【０００８】
本発明の別の実施形態によれば、液晶ディスプレイモジュールが提供される。当該液晶ディスプレイモジュールは、複数のスイッチと、共通接続部と、前記複数のスイッチと前記共通接続部との間にそれぞれ接続される複数の液晶セルとを有する液晶ディスプレイを具備する。前記共通接続部は、第１の方向に延び、第２の方向に並んで配置された複数のストリップとして設けられる。前記複数の液晶セルは、前記複数のストリップに沿って配置され、当該複数のストリップにそれぞれ接続された行として構成される。前記液晶ディスプレイは、前記複数のスイッチをそれぞれ動作させる複数のゲート線をさらに有する。前記各ゲート線は、前記複数のスイッチのうち、隣接する２つの行の前記各液晶セルに接続されたスイッチを動作させるように構成される。前記各行について、その行の１つおきの液晶セルからなる第１のセットの各液晶セルが、前記複数のゲート線のうち各第１のゲート線によって動作される各スイッチに接続され、前記１つおきの液晶セルとは互い違いの１つおきの液晶セルからなる第２のセットの各液晶セルが、前記複数のゲート線のうち各第２のゲート線によって動作される各スイッチに接続される。当該液晶ディスプレイモジュールは、前記各ゲート線を制御して、前記隣接する２つの行の各液晶セルに接続された前記各スイッチを動作させると同時に、前記隣接する２つの行のうちの少なくとも１つの行に対応する少なくとも１つのストリップを、２つの所定の電位のうちの１つの電位で駆動する、前記液晶ディスプレイを駆動するための駆動回路をさらに具備する。
【０００９】
このように、ドット反転構成の場合、大きな１枚のＣＯＭプレートの代わりに複数のＣＯＭストリップを設けることが可能であるため、反転が行われる度に駆動される静電容量が低減され、液晶セルの行と行との間の画像信号のクロストークも低減される。
【００１０】
本発明の別の実施形態によれば、複数の液晶セルと共通接続部と、前記複数のスイッチと前記共通接続部との間にそれぞれ接続される複数の液晶セルとを有する液晶ディスプレイの駆動方法が提供される。当該方法は、前記共通接続部を、第１の方向に延び、第２の方向に並んで配置された複数のストリップとして設け、前記複数の液晶セルを、前記複数のストリップに沿って配置され、当該複数のストリップにそれぞれ接続された複数の行として構成し、前記複数のスイッチをそれぞれ動作させる複数のゲート線を設け、前記各ゲート線を、前記各行の前記各液晶セルに接続されたスイッチを動作させるように構成し、前記各ゲート線を制御して、前記各行の各液晶セルに接続された前記各スイッチを動作させると同時に、前記各行に対応するストリップを、２つの所定の電位のうちの１つの電位で駆動することにより、前記液晶ディスプレイを駆動する。
【００１１】
本発明の別の実施形態によれば、液晶ディスプレイモジュールが提供される。当該液晶ディスプレイモジュールは、複数のスイッチと、共通接続部と、前記複数のスイッチと前記共通接続部との間にそれぞれ接続される複数の液晶セルとを有する液晶ディスプレイを具備する。前記共通接続部は、第１の方向に延び、第２の方向に並んで配置された複数のストリップとして設けられる。前記複数の液晶セルは、前記複数のストリップに沿って配置され、当該複数のストリップにそれぞれ接続された複数の行として構成される。前記液晶ディスプレイは、前記複数のスイッチをそれぞれ動作させる複数のゲート線をさらに有する。前記各ゲート線は、前記各行の前記各液晶セルに接続されたスイッチを動作させるように構成される。この場合、当該液晶ディスプレイモジュールは、前記各ゲート線を制御して、前記各行の各液晶セルに接続された前記各スイッチを動作させると同時に、前記各行に対応するストリップを、２つの所定の電位のうちの１つの電位で駆動する、前記液晶ディスプレイを駆動するための駆動回路をさらに具備する。
【００１２】
同様に、横方向の１Ｈ反転方法の場合にも、大きな１枚のＣＯＭプレートではなく一連のＣＯＭストリップを設けることが可能であるため、充電すべき静電容量が低減され、行と行の間のクロストークも低減される。
【００１３】
ドット反転構成の場合、各行は各ストリップに沿って配置され、各ストリップに接続される。したがって、液晶セルの各行につき１つのストリップが設けられ、各行毎に駆動すべき静電容量は、１つのストリップの静電容量にまで低減される。
【００１４】
この構成により、前記液晶セルの２つの隣接した行に対応する２つのストリップを、前記２つの所定の電位のうちの１つの電位で同時に駆動することが可能である。
【００１５】
このように、１つの行の１つおきの液晶セルに対する書き込みが行われると同時に、隣の行の１つおきの液晶セルに対する書き込みが行われる。
【００１６】
ストリップが、Ｈｉｇｈ電圧とＬｏｗ電圧（前記２つの所定の電圧に対応する）のいずれによっても駆動されない場合、それらのストリップはスタンバイ電圧、好ましくは前記Ｈｉｇｈ電圧とＬｏｗ電圧との中間の電圧で駆動されてもよい。
【００１７】
前記駆動回路は、一度に前記２つのストリップのみを、前記２つの所定の電圧のうちの１つで同時に駆動することが好ましい。
【００１８】
上記の代わりに、前記複数の行は、隣接する行同士がペアとなるように構成されてもよく、当該ペアは、各ペアにつき１つのストリップに沿って配置され、当該ストリップに接続されてもよい。
【００１９】
したがって、各ストリップは、液晶セルの２つの隣接した行に対して十分に幅が広い。各ゲート線に対して液晶セルを１つおきに接続する構成により、各ストリップは、２つの隣接する行の１つおきの液晶セルを動作させる中心ゲート線を有することになる。また、各ストリップは、ストリップのいずれかの側に沿ったゲート線も有する。このゲート線は、ストリップのいずれかの側に沿った１行だけの１つおきの液晶セルを動作させる、
【００２０】
この構成により、反転を行う度に駆動すべき静電容量が、従来のプレートと比較してさらに大幅に低減され、液晶セルの行の隣接するペアとペアとの間のクロストークも低減される。
【００２１】
前記駆動回路は、一度に前記１つのストリップのみを、前記２つの所定の電位のうちの１つの電位で駆動するように構成されることが好ましい。
【００２２】
１Ｈ反転法の場合と同様に、液晶セルの各行につき１つのストリップの場合、前記駆動回路は、そのストリップだけを前記２つの所定の電位のうちの１つの電位で同時に駆動するように構成される。
【００２３】
書き込みが行われているストリップ以外のすべてのストリップを、前記所定の電位で駆動しないことにより、反転実行中の駆動回路に必要な全体的な静電容量が大幅に低減される。
【００２４】
他のストリップは、別の所定の電位で駆動されることが好ましい。この別の所定の電位は、駆動回路が任意のストリップ上に常時生じさせるべき平均電位変化量を最小にするように選択されることが好ましい。したがって、この所定の電位は、２つのＣＯＭ反転電位の少なくともほぼ中間である。
【００２５】
このように、ディスプレイ領域のほとんど（そのときアクティブであるサブピクセルへの書き込みに用いられる１つ又は２つのストリップ以外のすべて）は同じＣＯＭ電圧、例えば中間電圧を有する。これにより、複数のＣＯＭストリップを交互に逆の反転（所定）電位で充電してその間に電界を生成する構成に比べ、漏れ電流を低減できるという利点が得られる。
【図面の簡単な説明】
【００２６】
【図１】本発明の実施形態を具現することができる携帯電話機の図である。
【図２】本発明の実施形態を具現することができるカメラの図である。
【図３】本発明の実施形態を具現することができる液晶ディスプレイモジュールの図である。
【図４】液晶ディスプレイの３つの画素ユニットを概略的に示す図である。
【図５】図４の画素ユニットを駆動するための信号のタイミングを示す図である。
【図６】１Ｈ反転に適した液晶ディスプレイを概略的に示す図である。
【図７（ａ）】液晶ディスプレイのドット反転を示す図である。
【図７（ｂ）】液晶ディスプレイの１Ｈ反転を示す図である。
【図８（ａ）】ドット反転の場合の駆動信号を示す図である。
【図８（ｂ）】１Ｈ反転の場合の駆動信号を示す図である。
【図９（ａ）】１Ｈ反転の場合の液晶セルにおける２つの連続したフレームの駆動の様子を概略的に示す図である。
【図９（ｂ）】１Ｈ反転法を示す図である。
【図９（ｃ）】１Ｈ反転法を示す図である。
【図１０】本発明を具現するドライバを概略的に示す図である。
【図１１】ドット反転の場合の液晶セルにおける２つの連続したフレームの駆動の様子を概略的に示す図である。
【図１２（ａ）】サブピクセルについてのドット反転法を示す図である。
【図１２（ｂ）】サブピクセルについてのドット反転法を示す図である。
【図１３（ａ）】画素についてのドット反転法を示す図である。
【図１３（ｂ）】画素についてのドット反転法を示す図である。
【図１４（ａ）】液晶セルの隣接する行の対のためのＣＯＭストリップを用いた、サブピクセルについてのドット反転法を示す図である。
【図１４（ｂ）】液晶セルの隣接する行の対のためのＣＯＭストリップを用いた、サブピクセルについてのドット反転法を示す図である。
【発明を実施するための形態】
【００２７】
本発明の実施形態は、例示としてのみ提供される以下の説明により、添付の図面を参照して、より明確に理解されるであろう。
【００２８】
本発明の実施形態は、例えば図１及び図２にそれぞれ示す携帯電話機及びデジタルカメラにおいて用いられるようなＬＣＤ（Liquid Crystal Display）モジュールに適用可能である。本発明の実施形態は、ＬＣＤモジュール自体のディスプレイパネル上に形成されたＬＣＤ駆動回路を含む、いかなるＬＣＤにも適用可能である。
【００２９】
図１の携帯電話機２及び図２のデジタルカメラ４において、必要に応じて画像を表示するための各ＬＣＤモジュール６及び８が設けられる。
【００３０】
図３は、携帯電話機及びデジタルカメラの用途に適しており、本発明の実施形態を具現するＬＣＤモジュール１０を示す。
【００３１】
ＬＣＤモジュール１０は、少なくとも１枚のガラス（又は任意の他の好適な透明材料）製の基板１２を有する。この基板１２に対し、液晶ディスプレイ１６が、任意の周知方法で形成される。図３に示す実施形態では、駆動回路１４も基板１２上に形成される。本発明の実施形態による駆動回路１４は、ＬＣＤモジュール１０の下部に示されているが、同様の駆動回路をガラス基板１２の液晶ディスプレイ１６の周囲の任意の部分に設けてもよく、又は、液晶ディスプレイ１６の周囲に分散させて設けてもよい。
【００３２】
図４は、液晶ディスプレイ１６の実施態様の一例を示す。
【００３３】
液晶ディスプレイ１６は、画素の２次元アレイに分割される。画素は、水平（横）方向の行である第１の方向及び垂直（縦）方向の列である第２の方向に延びる。各画素を所望の色及び輝度となるように駆動することにより、液晶ディスプレイ１６上に適切な画像が表示される。
【００３４】
種々の異なる色を生成するために、各画素は、赤、緑、青をそれぞれ生成する３つの画素ユニット２０Ｒ、２０Ｇ、２０Ｂ（すなわち、サブピクセル）を有する。図４は、第１の（水平）方向に並んで構成された画素の３つの画素ユニット２０Ｒ、２０Ｇ、２０Ｂを示す。ここで、所望の視覚的に合成された色を提供するために、３つの画素ユニット２０Ｒ、２０Ｇ、２０Ｂは互いに近接して配置されるべきであるが、画素の厳密な位置関係は重要ではないことを理解されたい。
【００３５】
各画素ユニット２０Ｒ、２０Ｇ、２０Ｂは、対応する液晶セル２２Ｒ、２２Ｇ、２２Ｂを有する。各液晶セル２２Ｒ、２２Ｇ、２２Ｂの片側は、共通線ＣＯＭに接続される。好適な実施形態では、この共通線ＣＯＭは、ガラス基板１２自体の一部として形成される。各液晶セル２２Ｒ、２２Ｇ、２２Ｂの反対側は、制御トランジスタすなわちスイッチ２４Ｒ、２４Ｇ、２４Ｂにそれぞれ接続される。
【００３６】
図４に示すように、行におけるすべてのスイッチ２４Ｒ、２４Ｇ、２４Ｂは、共通ゲート線２６によって制御される、すなわち、オン／オフに切り替えられる。ゲート線は、液晶ディスプレイ１６の各行毎に設けられる。一方、スイッチ２４Ｒ、２４Ｇ、２４Ｂへの入力部は、信号線２８Ｒ、２８Ｇ、２８Ｂに接続される。具体的には、同じ列内のすべての赤の画素ユニット２０Ｒは、１本の信号線２８Ｒに接続され、同じ列内のすべての緑の画素ユニット２０Ｇは、１本の信号線２８Ｇに接続され、同じ列内のすべての青の画素ユニット２０Ｂは、１本の信号線２０Ｂに接続される。
【００３７】
ＬＣＤモジュール１０の液晶ディスプレイ１６上に画像を表示するために、画像は行毎に提供される。特定のゲート線２６が駆動されて、その各行におけるすべてのスイッチすなわちトランジスタ２４Ｒ、２４Ｇ、２４Ｂをオンにする電圧が印加される。なお、このゲート線２６は、この特定の行すなわち水平方向ラインをイネーブルする。まず、すべての赤の信号線２８Ｒを用いて、その行のすべての赤の液晶セル２２Ｒが駆動され、次に、すべての緑の信号線２８Ｇを用いて、その特定の行のすべての緑の液晶セル２２Ｇが駆動され、最後に、すべての青の信号線２８Ｂを用いて、その特定の行のすべての青の液晶セル２２Ｂが駆動される。特定の色の画素ユニット２０Ｒ、２０Ｇ、２０Ｂのすべてが同時に駆動されることが好ましいが、他の構成も可能である。
【００３８】
１本の行すなわち水平方向ラインに書き込みが行われると、対応するゲート線２６が駆動されて、このゲート線２６に対応するすべてのスイッチすなわちトランジスタ２４Ｒ、２４Ｇ、２４Ｂをオフにする電圧が印加され、別のゲート線２６が駆動されて、このゲート線２６に対応するスイッチをオンにする電圧が印加される。隣り合うゲート線２６を次々に駆動してもよいが、他の構成も可能である。また、種々の異なる構成の画素ユニットのアレイを提供して、同様の効果を達成してもよいことも理解されるであろう。
【００３９】
実際には、液晶の静電容量には或る程度の変動があるので、上述した構成だけでは、液晶セル２２Ｒ、２２Ｇ、２２Ｂを確実に適切な又は所望の輝度レベルに駆動するのは困難である。液晶セル２２Ｒ、２２Ｇ、２２Ｂの変動を補償するために、ＣＳキャパシタ３０が、液晶セル２２Ｒ、２２Ｇ、２２Ｂに並行して設けられる。図４に示すように、ＣＳキャパシタ３０は、液晶セル２２Ｒ、２２Ｇ、２２Ｂの信号駆動端と、ＣＳ線３２との間に設けられる。このような構成の場合、ＣＳ線３２は、各行すなわち水平方向ライン毎に設けられる。したがって、各行すなわち水平方向ラインのすべての画素ユニット２０Ｒ、２０Ｇ、２０ＢのＣＳキャパシタ３０は、対応する各ＣＳ線３２に接続される。
【００４０】
ＣＳ線３２は、共通電圧ＣＯＭの電圧に近い電圧により駆動される。これにより、液晶セル２２Ｒ、２２Ｇ、２２Ｂの静電容量の変動がこれらの液晶セル２２Ｒ、２２Ｇ、２２Ｂの駆動に与える影響が少なくなる。
【００４１】
図５は、液晶ディスプレイ１６の水平方向ラインの最初の２本を駆動するための種々の信号を示す。ここで、液晶ディスプレイ１６の駆動中は、液晶セル２２Ｒ、２２Ｇ、２２Ｂを用いる毎に、これらの液晶セルに印加される極性を逆にする必要があるということは言うまでもない。これは、極性反転として周知である。したがって、液晶ディスプレイ１６上に各フレームが表示された後、すなわち各垂直期間後に、極性が逆にされる。また、隣り合う水平方向ライン、すなわち行は、逆の極性で駆動される。
【００４２】
図５に示すように、１水平タイミングの長さを有する垂直同期パルスが、新たなフレームを示す。また、各新たな水平方向ラインすなわち行を示すために、短い水平同期パルスが供給される。
【００４３】
第１の水平方向ライン及び第２の水平方向ラインに対するゲートパルスが示される。各ゲートパルスは、その水平方向ラインの期間内に位置し、ゲートパルス中、画素ユニット２０Ｒ、２０Ｇ、２０Ｂの各行すなわち水平方向ラインは、上述した方法でイネーブルされる。したがって、第１の水平方向ラインに対するゲートパルス中、この第１の水平方向ラインのすべてのスイッチ／トランジスタ２４Ｒ、２４Ｇ、２４Ｂはオンにされるが、他はされない。同様に、第２の水平方向ラインに対するゲートパルスでは、第２の行すなわち水平方向ラインのスイッチ／トランジスタのみがオンにされる。
【００４４】
図５において、第１の水平方向ライン及び第２の水平方向ラインについての、赤の画素ユニット２０Ｒ、緑の画素ユニット２０Ｇ、及び青の画素ユニット２０Ｂに対する電圧が示される。画素ユニット２０Ｒ、２０Ｇ、２０Ｂの液晶セル２２Ｒ、２２Ｇ、２２Ｂに対して示される電圧に重なって、ＣＯＭ信号が破線により示される。図５に示すように、ＣＯＭ信号は、各水平方向ライン毎に、１つの電圧状態から別の電圧状態に変化する。このようにして、隣り合う水平方向ラインの画素に印加される極性が逆にされる。また、図５に示すように、第２の垂直期間（図５の右側）では、水平方向ラインの画素がフレーム毎に逆の極性により駆動されるように、ＣＯＭ信号が全体として逆方向にされる。
【００４５】
ＣＯＭ信号の後に、概ね同じ電圧を有するＣＳ信号が続く。
【００４６】
ＣＯＭ信号及びＣＳ信号は、０ボルト〜約５ボルトの間で状態が変化し得る。
【００４７】
各水平期間中に、赤の画素ユニット２０Ｒ、緑の画素ユニット２０Ｇ、及び青の画素ユニット２０Ｂに対し、それぞれ選択パルスが供給される。このようにして、１つの画素の赤の画素ユニット２０Ｒ、緑の画素ユニット２０Ｇ、及び青の画素ユニット２０Ｂのために必要とされる駆動信号を連続的に有する共通映像線を、その画素に対して供給することができる。図５に示す選択パルスは、赤、緑、青の画素ユニット２０Ｒ、２０Ｇ、２０Ｂのそれぞれに、映像線信号のうちの適切な部分を印加するために用いられる。結果として、特定の各選択パルス中、画素ユニット２０Ｒ、２０Ｇ、２０Ｂのそれぞれの信号線が、その時に共通映像線信号により供給される必要電圧により駆動される。
【００４８】
図６は、図４に示したゲート線２６と信号線２８とを有する液晶ディスプレイセルの２次元アレイを示す。図６に示すように、各液晶セル２２は、共通接続部ＣＯＭ２６と各スイッチ２４との間に接続される。
【００４９】
各液晶セルは、上述のように種々の異なる色を表示するために用いられてもよく、又はモノクロ表示の一部として用いられてもよい。
【００５０】
図７（ａ）及び図７（ｂ）は、液晶ディスプレイセルのアレイを駆動するための２つの反転方法を概略的に示す。
【００５１】
上記で検討したように、液晶ディスプレイセルがリフレッシュされる度に、それらのセルを駆動するのに用いられる極性を反転することが必要である。
【００５２】
図７（ａ）に示すようなドット反転法においては、各セルは、反対の極性で充電された、隣り合うセルであり、すべてのセルの極性は、フィールド／フレーム毎に反転される。
【００５３】
もう１つの方法は、図７（ｂ）に示す「１Ｈ」反転法である。この方法では、各水平方向ラインのセルは同じ極性を有するが、垂直方向に隣接するセルは逆の極性を有する。すべてのセルの極性は、フィールド／フレーム毎に反転される。
【００５４】
図８（ａ）及び図８（ｂ）は、ドット反転法及び１Ｈ反転法を駆動するための典型的な信号をそれぞれ示す。
【００５５】
上述のように、従来では、共通接続部ＣＯＭは、液晶ディスプレイセルの全域にわたる１枚のプレートとして提供されていた。すべての液晶ディスプレイセルは、ＣＯＭに接続されるが、その電位は、各液晶ディスプレイセルが各スイッチを介して各信号線に接続されない限り、単にＣＯＭの電位にしたがって上下されるに過ぎない。ＣＯＭの電位は、液晶ディスプレイセルのドット毎、ライン毎、又はフィールド／フレーム毎に、必要な反転が起こるように、２つの所定の電位の間で変動される。
【００５６】
残念なことに、この従来の構成では、ＣＯＭの静電容量が比較的高いことにより、ドライバの消費電力も比較的高くなる。具体的には、引き込み電流Ｉ＝Ｃｃｏｍ × Ｖｃｏｍ × ｆ（ｈ）である（ここで、ＣｃｏｍはＣＯＭプレートの静電容量、ＶｃｏｍはＣＯＭが駆動される所定の電位、ｆ（ｈ）はＣＯＭ電位変動周波数、例えば、水平方向ラインの周波数である）。
【００５７】
また、従来の構成では、静電容量によって生じるクロストーク及びフリッカ（ちらつき）の結果として画像が劣化するおそれがある。
【００５８】
本発明は、従来のＣＯＭプレートを分割して、隣接するストリップとして配置するという考えに基づいている。これを図９（ａ）に概略的に示す。図９（ａ）に示すように、共通接続部ＣＯＭは、１枚のプレートとしてではなく、複数のストリップ３０のアレイとして設けられる。
【００５９】
各ストリップ３０に沿って、複数の液晶セル２２の行が配置される。各セル２２は、その一方の側において、対応するＣＯＭストリップ３０に接続され、他方の側において、各スイッチ２４に接続される。スイッチ２４はＭＯＳＦＥＴ（Metal-Oxide-Semiconductor Field -Effect Transistor）であってよい。図９（ａ）に示すように、各行のセル２２のスイッチ２４のゲートはすべて、ゲート線２６にそれぞれ接続されている。このように、各ゲート線２６は、各行のすべての液晶セル２２を同時に制御するために用いられる。それと同時に、各ＣＯＭストリップ３０は、信号線２８を介した信号により、その行／ストリップのセル２２に対する書き込みに適した必要な極性に駆動される。
【００６０】
図９（ａ）に概略的に示すように、駆動ＣＯＭ信号３２は、アクティブなライン、すなわち各ゲート線２６によってアクティブにされたラインのＣＯＭストリップ３０だけに供給されて、対応する行の液晶セル２２に対する書き込みを可能にする。その他のすべてのＣＯＭストリップ３０には、スタンバイＣＯＭ信号３４が供給される。駆動ＣＯＭ信号３２が、反転方法に応じて２つの電位のうちのいずれかの電位として供給される場合、スタンバイＣＯＭ信号３４は、駆動ＣＯＭ信号３２に用いられる２つの電位の実質的に中間の電位として供給されることが好ましい。このように、非アクティブなラインがアクティブなラインになった場合、対応するＣＯＭストリップ３０を必要な電位にするために必要な充電量が常に低減される。
【００６１】
図１０は、液晶ディスプレイ１６自体に沿って設けられたドライバ４０を有する液晶ディスプレイモジュール１０を概略的に示す。図１０に示すように、ドライバ４０は、シフトレジスタ４２、ＲＡＭ４４、セレクトスイッチ（ＳＷ）４６、及びバッファ４８を有する。ドライバ４０は、ＣＯＭストリップ３０にそれぞれ接続された複数の駆動線５０を有する。これにより、ドライバ４０は、反転方法に応じた適切な電位を有するアクティブな駆動ＣＯＭ信号３２を用いて、各ＣＯＭストリップ３０を連続的に駆動する一方で、その他のすべてのＣＯＭストリップ３０を非アクティブな駆動ＣＯＭ信号、すなわちスタンバイＣＯＭ信号３４によって駆動することができる（図９（ａ）参照）。
【００６２】
図９（ｂ）は、図９（ａ）を参照して説明した実施形態による、画素及びサブピクセルが１Ｈ反転法によって駆動されるカラーディスプレイのための構成を概略的に示す。
【００６３】
図９（ｃ）に示すように、Ｇａｔｅ１がアクティブパルスを供給される場合、それに対応するＣＯＭストリップＣＯＭ１が適切な電位（図９（ｃ）に示すＬｏｗ電圧Ｖ２）で駆動される。これにより、ＣＯＭストリップＣＯＭ１に沿った画素及び画素ユニットのすべてに対して書き込みを行うことができる。図９（ｃ）は、サブピクセルＰｉｘＲ１、Ｇ１及びＢ１に対する書き込みを示す。
【００６４】
図９（ｃ）に示すように、Ｇａｔｅ１に対するアクティブゲートパルスの後、ＣＯＭストリップＣＯＭ１に対する電圧は、スタンバイ信号、すなわち中間電圧Ｖ１に戻る。また、図９（ｃ）に示すように、Ｇａｔｅ１に対するゲートパルスの間、その隣のＣＯＭストリップＣＯＭ２に印加される電圧は、やはりスタンバイ電圧、すなわち中間電圧Ｖ１である。
【００６５】
次のラインに対する書き込みのために、Ｇａｔｅ２にアクティブパルスが供給され、ＣＯＭ２がアクティブにされる。この１Ｈ反転法では、ＣＯＭストリップＣＯＭ２には、ＣＯＭストリップ１に対して前回供給された電圧とは逆の電圧（図９（ｃ）に示すＨｉｇｈ電圧Ｖ３）が供給される。これにより、Ｇａｔｅ２に対応するすべての画素及びサブピクセルに対して書き込みを行うことができる。ここで、図９（ｃ）はサブピクセルＰｉｘＢ２のみに対する書き込みを示す。
【００６６】
図９（ｃ）に示すように、次のフィールドでは、ＣＯＭストリップＣＯＭ１及びＣＯＭ２に印加される電圧が反転される。しかし、これらのＣＯＭストリップがアクティブでないとき、ＣＯＭ１及びＣＯＭ２には依然としてスタンバイ信号、すなわち中間電圧Ｖ１が供給される。
【００６７】
図１１は、同様にＣＯＭストリップ３０を用いるが、１Ｈ反転法ではなくドット反転法のために構成された液晶ディスプレイにおける２つの連続したフレームの駆動の様子を示す。
【００６８】
図１１に示すように、この構成では、各ゲート線２６は、一行の液晶セル２２のスイッチ２４のすべてのゲートに接続される訳ではない。その代わりに、各ゲート線２６は、１つの行の１つおきのスイッチ２４に接続され、隣の行の１つおきの（ただし、１つ目の行とは互い違いの）スイッチ２４に接続される。これにより、１本のゲート線２６がアクティブにされると、１つの行の１つおきのセル２２を、対応する信号線２８によって駆動することができ、それと同時に、隣の行の互い違いの１つおきのセル２２を、対応する信号線２８によって駆動することができる。これを行うために、液晶セル２２の隣接する２つの行に対応する隣接するＣＯＭストリップ３０はいずれも、駆動ＣＯＭ信号３２によって適切な電位で駆動される。他の液晶ディスプレイセル２２も、アクティブ状態に駆動された２つの隣接するＣＯＭストリップ３０に接続されるが、これは問題ではない。なぜなら、これらの他の液晶ディスプレイセル２２はそれらのスイッチをオフにされることで浮動状態であるからである。
【００６９】
図１１に示すように、このような１つのペアのストリップ３０はいずれも、駆動ＣＯＭ信号３２により同時に駆動される。
【００７０】
上述した１Ｈ反転構成と同様に、すべての他のＣＯＭストリップ３０にはスタンバイＣＯＭ信号３４、例えば２つのアクティブＣＯＭ電圧の中間の電位が供給される。
【００７１】
このように構成された液晶ディスプレイと共に、図１０に示したドライバ４０等のドライバを用いることもできる。
【００７２】
図１２（ａ）は、個々の画素ユニット又はサブピクセルがドット反転法により駆動されるカラーディスプレイのための構成を概略的に示す。個々の画素ユニット又はサブピクセルは、図１１で説明したのと同様に、１つおきにゲート線に接続される。
【００７３】
図１２（ｂ）に示すように、Ｇａｔｅ１にアクティブパルスが供給されると、適切な電位に駆動されたＣＯＭストリップＣＯＭ１によってサブピクセルＰｉｘＲ１及びＢ１のスイッチがオンにされるので、図１２（ｂ）に示すサブピクセルＰｉｘＲ１及びＢ１に対して信号を書き込むことができる。それと同時に、図示しないが、ＣＯＭ０を適切な電位で駆動することにより、上記緑のサブピクセルＰｉｘＧ１に対して信号を書き込むことも可能である。
【００７４】
続いて、Ｇａｔｅ２にアクティブパルスが供給されると、サブピクセルＰｉｘＲ１とＢ１との間に位置するサブピクセルＰｉｘＧ１のスイッチがオンにされる。このとき、ＣＯＭストリップＣＯＭ１は、逆の極性で駆動される（反転される）。また、ＣＯＭストリップＣＯＭ２を同じ電位で駆動することにより、赤及び青のサブピクセルＰｉｘＲ２及びＢ２に対して書き込みを行うことができる。続いて、Ｇａｔｅ３により、緑のサブピクセルＰｉｘＧ２に対して書き込みが行われる。
【００７５】
図１２（ｂ）に示すように、次のフィールド又はフレームでは、ＣＯＭ電位及び信号電位は反転される。
【００７６】
上述しまた図１２（ｂ）に示したように、ＣＯＭストリップが、対応するサブピクセルに対する書き込みのためにＬｏｗ電圧及びＨｉｇｈ電圧のいずれでも駆動されていない場合、それらのＣＯＭストリップはスタンバイ信号、好ましくはＬｏｗ電圧とＨｉｇｈ電圧との中間の電圧で駆動される。
【００７７】
図１３（ａ）は、ドット反転法が画素毎に適用され、１つの画素の３つのサブピクセルがすべて同じ極性を有するカラーディスプレイの構成を示す。したがって、図１３（ａ）に示すように、各ゲート線は、液晶ディスプレイセルをそれぞれ有する一行のサブピクセルにおいて、１つおきの画素（それぞれ３つのサブピクセルを有する）のスイッチに接続される。同じゲート線が、液晶ディスプレイセルを有する隣の行のサブピクセルの１つおきの画素に、互い違いに接続される。
【００７８】
この構成は、図１３（ｂ）に示すように駆動される。ゲート線Ｇａｔｅ１にパルスが供給されて、Ｇａｔｅ１と接続されたスイッチがオンにされ、ＣＯＭストリップＣＯＭ１が適切な電位で駆動されると、サブピクセルＰｉｘＲ１及びＢ１が、対応する各信号線によって駆動される。図示しないが、それと同時に、サブピクセルＰｉｘＲ１とＢ１との間のサブピクセルが駆動される。
【００７９】
続いて、ゲート線Ｇａｔｅ２にアクティブパルスが供給されると、その行の次の画素がアクティブになる。ＣＯＭストリップＣＯＭ１は、ドット変換法に従って逆の極性で駆動され、図１３（ｂ）に示すように、サブピクセルＰｉｘＧ１が、対応する信号線によって駆動される。図示しないが、それと同時に、ＰｉｘＧ１の両側のサブピクセルも駆動される。
【００８０】
図１４（ａ）は、図１２（ａ）と同様のサブピクセル及びゲート構成を有する液晶ディスプレイを概略的に示す。しかしながら、図１４（ａ）の構成では、ＣＯＭストリップの隣接するペア同士が接続されている。一行の液晶ディスプレイセルにつき１つのＣＯＭストリップを設けるのではなく、それに比べて２倍の幅を有する半分の数のＣＯＭストリップを設けて、その各ＣＯＭストリップを液晶ディスプレイセルの２つの隣接する行に接続することが可能である。
【００８１】
図１４（ｂ）は、このような構成の駆動方法を概略的に示す。
【００８２】
ゲート線Ｇａｔｅ１にアクティブパルスが供給されると、サブピクセルＰｉｘＲ１及びＢ１がオンにされ、上記幅の広いＣＯＭストリップＣＯＭ１が適切な電位にされ、サブピクセルＰｉｘＲ１及びＢ１が、対応する各信号線により駆動される。
【００８３】
次のサイクルにおいて、幅の広いＣＯＭストリップＣＯＭ１の電位は反転され、ゲート線２６にアクティブパルスが供給される。このとき、サブピクセルＰｉｘＧ１のスイッチがオンにされ、そのサブピクセルを対応する信号線により駆動することが可能になる。それと同時に、赤及び青のサブピクセルＰｉｘＲ１及びＢ１に書き込みを行うことができる。
【００８４】
次のサイクルにおいて、幅の広いＣＯＭストリップＣＯＭ１は再度反転され、ゲート線Ｇａｔｅ３がアクティブになるので、サブピクセルＰｉｘＧ２のスイッチがオンにされ、このサブピクセルが、対応する信号線によって駆動される。また、幅の広いＣＯＭストリップＣＯＭ２をアクティブにして、サブピクセルＰｉｘＲ３及びＢ３に対する書き込みを可能とすることもできる。その後、ＣＯＭストリップＣＯＭ２を反転することで、サブピクセルＰｉｘＧ３、ＰｉｘＧ４に対する書き込みを行うことができる。
【００８５】
他のストリップは、サブピクセルへの書き込みのために用いられていないときは、すべてスタンバイ信号電位、好ましくはＣＯＭのための２つのアクティブ電圧の中間の電位で駆動される。
【図１】
2009251608.tif 000003
【図２】
2009251608.tif 000004
【図３】
2009251608.tif 000005
【図４】
2009251608.tif 000006
【図５】
2009251608.tif 000007
【図６】
2009251608.tif 000008
【図７（ａ）】
2009251608.tif 000009
【図７（ｂ）】
2009251608.tif 000010
【図８（ａ）】
2009251608.tif 000011
【図８（ｂ）】
2009251608.tif 000012
【図９（ａ）】
2009251608.tif 000013
【図９（ｂ）】
2009251608.tif 000014
【図９（ｃ）】
2009251608.tif 000015
【図１０】
2009251608.tif 000016
【図１１】
2009251608.tif 000017
【図１２（ａ）】
2009251608.tif 000018
【図１２（ｂ）】
2009251608.tif 000019
【図１３（ａ）】
2009251608.tif 000020
【図１３（ｂ）】
2009251608.tif 000021
【図１４（ａ）】
2009251608.tif 000022
【図１４（ｂ）】
2009251608.tif 000023